(57)【特許請求の範囲】
【請求項１】
製品とともに、その製品用のソフトウェアが記録された記録媒体と、その記録媒体に記録されたソフトウェアの取り扱い方法が記述された説明書の組み合わせを一つの梱包容器に複数組梱包する梱包方法において、
前記説明書の表面に該説明書に対応するソフトウェアが記録された記録媒体の表面の図柄を表示することを特徴とする梱包方法。
【請求項２】
前記説明書の表面に表示する記録媒体の図柄は、前記記録媒体の表面に施された彩色と同じ彩色で表示されることを特徴とする請求項１に記載の梱包方法。
【請求項３】
前記梱包容器に、前記記録媒体の表面に施された彩色と同じ彩色が表面に施された説明書が対応する説明書である旨、又は、前記記録媒体の図柄が表面に表示された説明書が対応する説明書である旨を表示することを特徴とする請求項１又は２に記載の梱包方法。
【発明の詳細な説明】
【０００１】
【発明の属する技術分野】
本発明は梱包方法に係り、特にソフトウェアが記録されたＣＤ−ＲＯＭやＤＶＤ−ＲＯＭ、フロッピーディスク等の記録媒体と、その記録媒体に対応する説明書の組み合わせを一つの梱包容器に複数組梱包する場合の梱包方法に関する。
【０００２】
【従来の技術】
撮影した画像をデジタルデータとして記憶するデジタルカメラは、パーソナルコンピュータとケーブル等で接続することにより、その撮影画像データをパーソナルコンピュータに取り込むことができる。この際、パーソナルコンピュータには専用のドライバソフトをインストールする必要がある。近年、パーソナルコンピュータの普及とともにデジタルカメラは、これらの接続ケーブルやドライバソフトをセットにして販売することが多くなっており、この他、撮影した画像を閲覧する画像閲覧ソフトや撮影した画像を修正する画像修正ソフト等のアプリケーションソフトを添付する例も増えている。
【０００３】
一般にドライバソフトやアプリケーションソフトはＣＤ−ＲＯＭ等に格納した形で提供され、消費者は対応する取扱説明書に従ってこれらのソフトウェアのインストール作業を実施する。
【０００４】
【発明が解決しようとする課題】
ところで、近年、デジタルカメラに添付されるソフトウェアは増える傾向にあり、ソフトウェアごとに個別にＣＤ−ＲＯＭに格納して提供される例も増えている。この結果、一つの製品に複数のＣＤ−ＲＯＭが同梱されることが多くなっており、これに対応してソフトウェアの取扱説明書も複数冊添付される例が増えている。
【０００５】
このように一つの製品に複数のＣＤ−ＲＯＭと、それに対応する取扱説明書が複数同梱されると、消費者はＣＤ−ＲＯＭと取扱説明書の対応関係が一目で分かりづらくなり、取り扱いが面倒になるという欠点がある。また、パーソナルコンピュータでは、ソフトウェアのインストールする手順を誤ると、正常に作動しなくなる場合があり、このためにも取扱説明書を確認した上でのインストール作業が必要になる。
【０００６】
特開平８−１４７０６３号公報には、対応するソフトウェアの取扱説明書をソフトウェアとともにＣＤ−ＲＯＭに格納することが提案されているが、取扱説明書を見る場合にパーソナルコンピュータのディスプレイ上で見なければならず、却って取り扱いが面倒になるという欠点がある。
【０００７】
本発明はこのような事情に鑑みてなされたもので、内容物の取り扱い性に優れた梱包方法を提供することを目的とする。
【０００８】
【課題を解決するための手段】
請求項１に係る発明は、前記目的を達成するために、製品とともに、その製品用のソフトウェアが記録された記録媒体と、その記録媒体に記録されたソフトウェアの取り扱い方法が記述された説明書の組み合わせを一つの梱包容器に複数組梱包する梱包方法において、前記説明書の表面に該説明書に対応するソフトウェアが記録された記録媒体の表面の図柄を表示することを特徴とする梱包方法を提供する。
【００１１】
本発明によれば、説明書の表面に対応する記録媒体の図柄を表示することにより、一目で対応関係が明らかになり、取り扱いが容易になる。
【００１２】
また、請求項２に係る発明は、前記目的を達成するために、前記説明書の表面に表示する記録媒体の図柄は、前記記録媒体の表面に施された彩色と同じ彩色で表示されることを特徴とする請求項１に記載の梱包方法を提供する。
【００１３】
本発明によれば、説明書の表面に表示する記録媒体の図柄を記録媒体の表面に施された彩色と同じ彩色で表示することにより、より一層対応関係を認識しやすくすることができる。
【００１４】
また、請求項３に係る発明は、前記目的を達成するために、前記梱包容器に、前記記録媒体の表面に施された彩色と同じ彩色が表面に施された説明書が対応する説明書である旨、又は、前記記録媒体の図柄が表面に表示された説明書が対応する説明書である旨を表示することを特徴とする請求項１又は２に記載の梱包方法を提供する。
【００１５】
本発明によれば、梱包容器に記録媒体と説明書の対応関係の説明を表示することにより、記録媒体と説明書の対応関係を明確に認識させることができる。
【００１６】
【発明の実施の形態】
以下、添付図面に従って本発明に係る梱包方法の好ましい実施の形態について詳説する。
【００１７】
なお、以下の実施の形態では、２枚のＣＤ−ＲＯＭが付属されたデジタルカメラを一つの梱包箱に梱包する場合を例に本発明に係る梱包方法を説明する。
【００１８】
図１に示すように、梱包箱１０には、デジタルカメラ本体１２の他、デジタルカメラ本体１２の取扱説明書１４、電池１６、メモリーカード１８、ＰＣ接続ケーブル２０、第１ＣＤ−ＲＯＭ２２、第１ＣＤ−ＲＯＭ用取扱ガイド（取扱説明書）２４、第２ＣＤ−ＲＯＭ２６及び第２ＣＤ−ＲＯＭ用取扱ガイド（取扱説明書）２８が同梱されている。
【００１９】
第１ＣＤ−ＲＯＭ２２には、第１ソフトウェア（Ｓｏｆｔｗａｒｅ１）が格納されており、第１ＣＤ−ＲＯＭ用取扱ガイド２４には、その第１ＣＤ−ＲＯＭ２２に格納された第１ソフトウェアについての取り扱い方法（インストール手順や使用方法など）が記述されている。
【００２０】
また、第２ＣＤ−ＲＯＭ２６には、第２ソフトウェア（Ｓｏｆｔｗａｒｅ２）が格納されており、第２ＣＤ−ＲＯＭ用取扱ガイド２８には、その第２ＣＤ−ＲＯＭ２６に格納された第２ソフトウェアについての取り扱い方法が記述されている。
【００２１】
図２（ａ）は、第１ＣＤ−ＲＯＭ２２と第１ＣＤ−ＲＯＭ用取扱ガイド２４の平面図であり、また、同図（ｂ）は、第２ＣＤ−ＲＯＭ２６と第２ＣＤ−ＲＯＭ用取扱ガイド２８の平面図である。
【００２２】
図２（ａ）に示すように、第１ＣＤ−ＲＯＭ２２の表面には、その第１ＣＤ−ＲＯＭ２２に格納されているソフトウェアが第１ソフトウェアであることを表す「Ｓｏｆｔｗａｒｅ１」なる表示と、デジタルカメラ本体１２用のソフトウェアであることを表す「Ｄｉｇｉｔａｌ Ｃａｍｅｒａ」なる表示が施されている。この第１ＣＤ−ＲＯＭ２２の表面には、青色の彩色が施されており、「Ｓｏｆｔｗａｒｅ１」なる表示と「Ｄｉｇｉｔａｌ Ｃａｍｅｒａ」なる表示は、この青地部分に白抜き文字で表示されている。
【００２３】
また、同図に示すように、第１ＣＤ−ＲＯＭ用取扱ガイド２４の表面には、第１ＣＤ−ＲＯＭ２２に格納された第１ソフトウェア用の冊子であることを表す「Ｓｏｆｔｗａｒｅ１」なる表示と、そのガイド用の冊子であることを表す「Ｓｏｆｔｗａｒｅ１−取扱ガイド−」なる表示が施されている。この第１ＣＤ−ＲＯＭ用取扱ガイド２４の表面も第１ＣＤ−ＲＯＭ２２と同様に青色の彩色が施されており、「Ｓｏｆｔｗａｒｅ１」なる表示と「Ｓｏｆｔｗａｒｅ１−取扱ガイド−」なる表示は、その青地部分に白抜き文字で表示されている。
【００２４】
一方、図２（ｂ）に示すように、第２ＣＤ−ＲＯＭ２６の表面には、その第２ＣＤ−ＲＯＭ２６に格納されているソフトウェアが第２ソフトウェアであることを表す「Ｓｏｆｔｗａｒｅ２」なる表示と、デジタルカメラ本体１２用のソフトウェアであることを表す「Ｄｉｇｉｔａｌ Ｃａｍｅｒａ」なる表示が施されている。この第２ＣＤ−ＲＯＭ２６の表面には、緑色の彩色が施されており、「Ｓｏｆｔｗａｒｅ１」なる表示と「Ｄｉｇｉｔａｌ Ｃａｍｅｒａ」なる表示は、この緑地部分に白抜き文字で表示されている。
【００２５】
また、同図に示すように、第２ＣＤ−ＲＯＭ用取扱ガイド２８の表面には、第２ＣＤ−ＲＯＭ２６に格納された第２ソフトウェア用の冊子であることを表す「Ｓｏｆｔｗａｒｅ２」なる表示と、そのガイド用の冊子であることを表す「Ｓｏｆｔｗａｒｅ２−取扱ガイド−」なる表示が施されている。この第２ＣＤ−ＲＯＭ用取扱ガイド２８の表面も第２ＣＤ−ＲＯＭ２６と同様に緑色の彩色が施されており、「Ｓｏｆｔｗａｒｅ２」なる表示と「Ｓｏｆｔｗａｒｅ２−取扱ガイド−」なる表示は、その緑地部分に白抜き文字で表示されている。
【００２６】
このように、本実施の形態のデジタルカメラの梱包方法では、複数のＣＤ−ＲＯＭとその取扱説明書の組が複数ある場合において、各組み合わせごとに表面に施す彩色を統一している。これにより、梱包箱１０から取り出した際、消費者はＣＤ−ＲＯＭと同じ彩色が施された取扱説明書が、そのＣＤ−ＲＯＭに対応する取扱説明書であることを一目で認識することができ、取り違いを防止できる。
【００２７】
なお、本実施の形態では、ＣＤ−ＲＯＭと取扱説明書（取扱ガイド）の色の対応関係を明確にするために、ＣＤ−ＲＯＭと取扱説明書のほぼ全面に彩色を施しているが、色の対応関係を認識できる限度において、一部にのみ彩色を施すようにしてもよい。図３（ａ）及び（ｂ）は、ＣＤ−ＲＯＭと取扱説明書の一部に彩色を施した例である。
【００２８】
図３（ａ）に示すように、第１ＣＤ−ＲＯＭ２２の表面上部には青色インクで三日月状に青地部２２Ａが形成されており、「Ｓｏｆｔｗａｒｅ１」なる表示は、この青地部２２Ａに白抜き文字で記載されている。また、「Ｄｉｇｉｔａｌ  Ｃａｍｅｒａ」なる表示は、彩色の施されていない地部分に青色インクを用いて青色文字で記載されている。
【００２９】
また、第１ＣＤ−ＲＯＭ用取扱ガイド２４の表面上部には、青色インクで長方形状に青地部２４Ａが形成されており、「Ｓｏｆｔｗａｒｅ１」なる表示は、この青地部２２Ａに白抜き文字で記載されている。また、「Ｓｏｆｔｗａｒｅ１−取扱ガイド−」なる表示は、彩色の施されていない部分に青色インクを用いて青色文字で記載されている。
【００３０】
図３（ｂ）に示すように、第２ＣＤ−ＲＯＭ２６の表面上部には緑色インクで三日月状に緑地部２６Ａが形成されており、「Ｓｏｆｔｗａｒｅ２」なる表示は、この緑地部２６Ａに白抜き文字で記載されている。また、「Ｄｉｇｉｔａｌ  Ｃａｍｅｒａ」なる表示は、彩色の施されていない地部分に緑色インクを用いて緑色文字で記載されている。
【００３１】
また、第２ＣＤ−ＲＯＭ用取扱ガイド２８の表面上部には、青色インクで長方形状に緑地部２８Ａが形成されており、「Ｓｏｆｔｗａｒｅ２」なる表示は、この緑地部２８Ａに白抜き文字で記載されている。また、「Ｓｏｆｔｗａｒｅ２−取扱ガイド−」なる表示は、彩色の施されていない部分に緑色インクを用いて緑色文字で記載されている。
【００３２】
このように、ＣＤ−ＲＯＭと取扱説明書（取扱ガイド）の一部に彩色を施して対応関係を認識させるようにしてもよい。
【００３３】
また、図４（ａ）及び（ｂ）に示すように、第１ＣＤ−ＲＯＭ２２又は第２ＣＤ−ＲＯＭ２６に表示する「Ｓｏｆｔｗａｒｅ１」又は「Ｓｏｆｔｗａｒｅ２」なる表示を単に青文字又は緑文字で記載し、第１ＣＤ−ＲＯＭ用取扱ガイド２４又は第２ＣＤ−ＲＯＭ用取扱ガイド２８に表示する「Ｓｏｆｔｗａｒｅ１」又は「Ｓｏｆｔｗａｒｅ２」なる表示を単に青文字又は緑文字で記載するようにしてもよい。すなわち、対応するＣＤ−ＲＯＭの表面と取扱説明書の表面を同じ彩色で統一していればよい。
【００３４】
なお、ＣＤ−ＲＯＭ又は取扱説明書の表面に記載された全ての事項について同じ色で記載する必要はなく、記載面積の小さい付記的事項については他の色、たとえば黒で記載してもよい。すなわち、ＣＤ−ＲＯＭの表面を一見して認識される色のイメージと、取扱説明書の表面を一見して認識される色のイメージとが一致していればよい。
【００３５】
また、ＣＤ−ＲＯＭ及び取扱説明書の表面に特徴的なマークを記載し、そのマークの彩色のみを一致させるようにしてもよい。たとえば、図５（ａ）に示すように、第１ＣＤ−ＲＯＭ２２の表面に星型のマーク２２Ｂを青色インクで表示するとともに、第１ＣＤ−ＲＯＭ用取扱ガイド２４の表面に星型のマーク２４Ｂを青色インクで表示する。一方、第２ＣＤ−ＲＯＭ２６の表面には星型のマーク２６Ｂを緑色インクで表示し、第２ＣＤ−ＲＯＭ用取扱ガイド２８の表面には星型のマーク２８Ｂを緑色インクで表示する。
【００３６】
このように、特徴となる部分の彩色を統一することによっても、ＣＤ−ＲＯＭと取扱説明書の対応関係を一目で明らかにすることができる。
【００３７】
この場合、第１ＣＤ−ＲＯＭ２２及び第２ＣＤ−ＲＯＭ２６に表示する「Ｓｏｆｔｗａｒｅ１」、「Ｓｏｆｔｗａｒｅ２」、「Ｄｉｇｉｔａｌ  Ｃａｍｅｒａ」なる表示は、黒色文字で記載してもよいし、マークと統一して青色文字又は緑色文字で記載してもよい。同様に第１ＣＤ−ＲＯＭ用取扱ガイド２４及び第２ＣＤ−ＲＯＭ用取扱ガイド２８に表示する「Ｓｏｆｔｗａｒｅ１」、「Ｓｏｆｔｗａｒｅ２」「Ｓｏｆｔｗａｒｅ１−取扱ガイド−」、「Ｓｏｆｔｗａｒｅ２−取扱ガイド−」なる表示は、黒色文字で記載してもよいし、マークと統一して青色文字又は緑色文字で記載してもよい。
【００３８】
また、統一する彩色は必ずしも単色である必要はなく、複数色の組み合わせで統一してもよい。たとえば、図６（ａ）に示すように、第１ＣＤ−ＲＯＭ２２の「Ｓｏｆｔｗａｒｅ１」なる表示は青地に白抜き文字で表示する一方、「Ｄｉｇｉｔａｌ Ｃａｍｅｒａ」なる表示は黄文字で記載し、これに合わせて第１ＣＤ−ＲＯＭ用取扱ガイド２４の「Ｓｏｆｔｗａｒｅ１」なる表示は青地部２４Ａに白抜き文字で表示し、「Ｓｏｆｔｗａｒｅ１−取扱ガイド−」なる表示は黄色インクを用いて黄文字で表示する。また、同図（ｂ）に示すように、第２ＣＤ−ＲＯＭ２６の「Ｓｏｆｔｗａｒｅ２」なる表示は緑地に白抜き文字で表示する一方、「Ｄｉｇｉｔａｌ Ｃａｍｅｒａ」なる表示は橙文字で表示し、これに合わせて第２ＣＤ−ＲＯＭ用取扱ガイド２８の「Ｓｏｆｔｗａｒｅ２」なる表示は緑地に白抜き文字で表示し、「Ｓｏｆｔｗａｒｅ２−取扱ガイド−」なる表示は橙文字で表示する。この場合、第１ＣＤ−ＲＯＭ２２と第１ＣＤ−ＲＯＭ用取扱ガイド２４は「青色と黄色」で統一され、第２ＣＤ−ＲＯＭ２６と第２ＣＤ−ＲＯＭ用取扱ガイド２８は「緑色と橙色」で統一される。
【００３９】
このように複数色で統一した場合であっても、単色の場合の時と同様にＣＤ−ＲＯＭとその取扱説明書の対応関係を一目で認識することができる。
【００４０】
図７（ａ）は、第１ＣＤ−ＲＯＭ２２と第１ＣＤ−ＲＯＭ用取扱ガイド２４の第２の実施の形態の平面図であり、また、同図（ｂ）は、第２ＣＤ−ＲＯＭ２６と第２ＣＤ−ＲＯＭ用取扱ガイド２８の第２の実施の形態の平面図である。
【００４１】
同図（ａ）、（ｂ）に示すように、第１ＣＤ−ＲＯＭ２２の表面の記載事項と第２ＣＤ−ＲＯＭ２６の表面の記載事項は同じである。すなわち、第１ＣＤ−ＲＯＭ２２の表面には「Ｓｏｆｔｗａｒｅ１」なる表示が青地部２２Ａに白抜き文字で記載されるとともに「Ｄｉｇｉｔａｌ  Ｃａｍｅｒａ」なる表示が青文字で施され、第２ＣＤ−ＲＯＭ２６の表面には「Ｓｏｆｔｗａｒｅ２」なる表示緑地部２６Ａに白抜き文字で記載されるとともに、「Ｄｉｇｉｔａｌ  Ｃａｍｅｒａ」なる表示が緑文字で施されている。
【００４２】
一方、第１ＣＤ−ＲＯＭ用取扱ガイド２４の表面には、第１ＣＤ−ＲＯＭ２２に格納された第１ソフトウェアのガイド用の冊子であることを表す「Ｓｏｆｔｗａｒｅ１−取扱ガイド−」なる表示と、第１ＣＤ−ＲＯＭ２２の表面の図柄を表すイラスト（写真等を含む）２４Ｃが表示されている。また、第２ＣＤ−ＲＯＭ用取扱ガイド２８の表面には、第２ＣＤ−ＲＯＭ２６に格納された第２ソフトウェアのガイド用の冊子であることを表す「Ｓｏｆｔｗａｒｅ２−取扱ガイド−」なる表示と、第２ＣＤ−ＲＯＭ２６の表面の図柄を表すイラスト（写真等を含む）２８Ｃが表示されている。
【００４３】
ここで、第１ＣＤ−ＲＯＭ用取扱ガイド２４に記載された第１ＣＤ−ＲＯＭ２２のイラスト２４Ｃと、第２ＣＤ−ＲＯＭ用取扱ガイド２８に記載された第２ＣＤ−ＲＯＭ２６のイラスト２８Ｃは、それぞれ第１ＣＤ−ＲＯＭ２２及び第２ＣＤ−ＲＯＭ２６の表面の図柄と同じ彩色で記載されている。
【００４４】
なお、「Ｓｏｆｔｗａｒｅ１−取扱ガイド−」なる表示と「Ｓｏｆｔｗａｒｅ２−取扱ガイド−」なる表示は、ともに黒インクで黒色文字で記載する。
【００４５】
このように、取扱説明書の表面に対応するＣＤ−ＲＯＭのイラストを表示することにより、取扱説明書とＣＤ−ＲＯＭとの対応関係が一目で明らかになり、取り違いを防止することができる。この際、本実施の形態のように、彩色も一致させることにより、より明確に対応関係を把握することができる。
【００４６】
なお、本実施の形態のように取扱説明書の表面に対応するＣＤ−ＲＯＭのイラストを表示する場合は、通常の白黒印刷としても十分に両者の対応関係を明らかにすることができる。
【００４７】
以上説明したように、ＣＤ−ＲＯＭと取扱説明書の対応関係を色又はイラストにより関連付けることにより、一つの梱包箱に複数のＣＤ−ＲＯＭと取扱説明書の組み合わせが同梱されていても、消費者は一目で両者の対応関係を把握することができる。
【００４８】
なお、両者の対応関係をより明確なものとするために、梱包箱１０に両者の対応関係の説明を付記することが好ましい。
【００４９】
たとえば、図８に示すように、梱包箱１０のフラップ１０Ａに内容物の確認票３０を貼付又は印刷し、その確認票３０に注意書きとして、「（注）ＣＤ−ＲＯＭと取扱ガイドは同じ色のものを御使用下さい」という両者の対応関係を明らかにする記載を付記する。また、たとえば、図９に示すように、内容物の確認票３０に記載する「第１ＣＤ−ＲＯＭ」及び「第１ＣＤ−ＲＯＭ用取扱ガイド」を青色文字で記載し、「第２ＣＤ−ＲＯＭ」及び「第２ＣＤ−ＲＯＭ用取扱ガイド」を緑色文字で記載する。
【００５０】
このように、梱包箱１０に両者の対応関係を明らかにしておくことにより、消費者は、梱包箱１０の開封と同時に消費者が両者の対応関係を把握することができるようになる。また、色別で記載しておくことにより、消費者の注意を引くことができ、ＣＤ−ＲＯＭと取扱説明書の対応関係を明確にすることができる。
【００５１】
なお、対応関係を記載した確認票は、梱包箱１０のフラップ１０Ａに貼付又は印刷するのではなく、内容物とともに別紙同梱させてもよい。また、梱包箱１０の外側に直接貼付又は印刷するようにしてもよい。
【００５２】
また、一般にＣＤ−ＲＯＭは、ケースに収容された状態で提供されるので、そのケースの色もＣＤ−ＲＯＭの色に対応させることが好ましい。これにより、ＣＤ−ＲＯＭと取扱説明書の対応関係をより明確なものにすることができる。
【００５３】
上記一連の実施の形態では、本発明をデジタルカメラの梱包例に適用して説明したが、本発明の適用は、これに限定されるものではない。複数のＣＤ−ＲＯＭと、それに対応する取扱説明書が複数同梱される製品の梱包であれば、いかなるものにも適用することができる。たとえば、パーソナルコンピュータやＰＤＡ、ＭＰ３レコーダー等、複数のＣＤ−ＲＯＭと取扱説明書が同梱される製品に適用することができる。
【００５４】
また、上記の実施の形態では、ソフトウェアが格納された記録媒体としてＣＤ−ＲＯＭを例示しているが、ソフトウェアが記録された記録媒体とその取扱説明書の組み合わせであれば、いかなるものについても適用することができる。たとえば、ＣＤ−ＲＯＭの代わりにＤＶＤ−ＲＯＭやフロッピーディスク、ＭＯ等の記録媒体にソフトウェアが格納されている場合であっても、本発明は同様に適用することができる。
【００５５】
【発明の効果】
以上説明したように、本発明によれば、記録媒体と、その説明書の対応関係を一目で把握することができ、取り扱いを容易にすることができる。
【図面の簡単な説明】
【図１】デジタルカメラの梱包例を示す斜視図
【図２】ＣＤ−ＲＯＭと取扱ガイドの他の実施の形態の平面図
【図３】ＣＤ−ＲＯＭと取扱ガイドの他の実施の形態の平面図
【図４】ＣＤ−ＲＯＭと取扱ガイドの他の実施の形態の平面図
【図５】ＣＤ−ＲＯＭと取扱ガイドの他の実施の形態の平面図
【図６】ＣＤ−ＲＯＭと取扱ガイドの他の実施の形態の平面図
【図７】第２の実施の形態のＣＤ−ＲＯＭと取扱ガイドの平面図
【図８】梱包箱の構成を示す斜視図
【図９】確認票の他の実施の形態の平面図
【符号の説明】
１０…梱包箱、１０Ａ…フラップ、１２…デジタルカメラ本体、１４…デジタルカメラ本体の取扱説明書、１６…電池、１８…メモリーカード、２０…ＰＣ接続ケーブル、２２…第１ＣＤ−ＲＯＭ、２４…第１ＣＤ−ＲＯＭ用取扱ガイド（取扱説明書）、２６…第２ＣＤ−ＲＯＭ、２８…第２ＣＤ−ＲＯＭ用取扱ガイド（取扱説明書）、３０…確認票
【図１】
0004151296.tif 000002
【図２】
0004151296.tif 000003
【図３】
0004151296.tif 000004
【図４】
0004151296.tif 000005
【図５】
0004151296.tif 000006
【図６】
0004151296.tif 000007
【図７】
0004151296.tif 000008
【図８】
0004151296.tif 000009
【図９】
0004151296.tif 000010